(57)【要約】【課題】  和布団、マットの上に敷く包被体は、通常、長手方向及び／又は幅方向の両端を、包被体を捲り上げ、和布団、マットの下に折り込まれて、使用に供されている。ところが、このような包被体の一般的な使用方法であると、折り込み部分にズレが生じ、乱れ易く、特に包被体が止着した状態のまま、和布団等を折り畳むと、包被体がほとんど和布団等から外れた状態になってしまう等の様々な問題点があった。【構成】  和布団、マットに装着するボア、タオルケット、カバー等の包被体を和布団、マットと略同等の大きさに形成し、包被体の和布団、マットを止着する内側の四隅に、和布団等の止着用の細帯を配備し、内側の四隅に、和布団等の止着用の細帯を配備し、細帯に和布団、マットの厚さ、大きさ等の形状に応じて、包被体を確実に止着及び／又は離脱可能にする長さ調節ができるバックル、矜持片の調節部材を介設する構成とした和布団等に脱着される包被体である。【選択図】    図１
0003131965.tif 000002
【実用新案登録請求の範囲】
【請求項１】
和布団、マットに装着するボア、タオルケット、カバー等の包被体において、
この包被体を前記和布団、マットと略同等の大きさに形成し、この包被体の和布団、マットを止着する内側の四隅に、前記和布団等の止着用の細帯を配備し、
この細帯に前記和布団、マットの厚さ、大きさ等の形状に応じて、この包被体を確実に止着及び／又は離脱可能にする長さ調節ができるバックル、矜持片の調節部材を介設する構成とした和布団等に脱着される包被体。
【請求項２】
請求項１に記載のバックル、矜持片等の調節部材において、
このバックルは、前記細帯の一方端にラダーロック挿入片を設け、他方端にこのラダーロック係止片を設け、このラダーロック挿入片をラダーロック係止片に嵌挿することにより、細帯の長さ調節を行う構成とした和布団等に脱着される包被体。
【請求項３】
請求項１に記載のバックル、矜持片等の調節部材において、
この矜持片は、前記細帯の一方端に三角形状の係止部材を設け、他方端に爪片を設け、前記三角形状の係止部材にこの爪片を係留することにより、細帯の長さ調節を行う構成とした和布団等に脱着される包被体。
【請求項４】
請求項１に記載の和布団等に脱着される包被体において、
この包被体を前記和布団、マットと略同等の大きさに形成し、この包被体の和布団、マットを止着する内側の四隅に、前記和布団等の止着用の細帯を配備し、
この細帯に前記調節部材を介して、この和布団、マットの長手方向と幅方向における四隅の一端から止着する長さを略均一にし、前記包被体を確実に止着及び／又は離脱可能にする構成とした和布団等に脱着される包被体。
【請求項５】
請求項１の記載の和布団等に脱着される包被体において、
この包被体を前記和布団、マットと略同等の大きさに形成し、この包被体の和布団、マットを止着する内側の四隅に、前記和布団等の止着用の細帯を配備し、
この細帯に前記調節部材を介して、この和布団、マットの長手方向と幅方向における四隅の一端から止着する長さで長手方向：幅方向を１：√３の比率にし、前記包被体を確実に止着及び／又は離脱可能にする構成とした和布団等に脱着される包被体。
【考案の詳細な説明】
【技術分野】
【０００１】
本考案は、和布団等に脱着される包被体に関する。
【背景技術】
【０００２】
従来、和布団、マットの上に敷く包被体は、通常、長手方向及び／又は幅方向の両端を、包被体を捲り上げ、和布団、マットの下に折り込まれて、使用に供されている。ところが、このような包被体の一般的な使用方法であると、折り込み部分において、ズレが生じ、乱れ易く、特に包被体を止着した状態のまま、和布団、マットを折り畳むと、包被体がほとんど和布団、マットから外れた状態になってしまう等の様々な問題点があった。
【０００３】
さらに、このように包被体を折り込む方法であると、子供やお年寄りや力の弱い病人等にとって、和布団、マットの大きさが大きい場合、この重さが重い場合等においては、困難かつ煩雑な作業であり、時間を要した。
【０００４】
なお、このような包被体に関する発明、考案を調査すると、文献（１）として、特開２００１−９５６６３号「布団カバー」がある。この文献（１）は、布団と略同じ大きさの本体包被体の一方端部には合わせ布片を重ね合わせて袋を形成し、布団の一方端を袋に収納し、その他方端を帯状片によって、係止する構成であり、包被体が汚泥した場合に簡単に取外しをして、洗濯することができ、包被体の使用時においても、位置がずれることないという効果を生ずるものである。
【０００５】
次に文献（２）に、実開平１−１７０１７０号「ループ付布団カバー」がある。この文献（２）は、布団包被体の四隅中間にループを設け、このループと布団を止着する細帯をプラスチックのＳ字状の連結部材で連結する構成であり、この連結部材を採用することにより、ループと細帯が離間せず、この両者の結合を迅速かつすみやかに使用できるという効果を生ずるものである。
【０００６】
最後に、文献（３）として、実用新案登録第３１０７９９６号「布団カバーのずれ防止装置」がある。この文献（３）は、帯状物の中央部分に結合具として設けられた押圧式ボタンの雌側ボタン部を配備し、この両端部に押圧式ボタンの雄側ボタン部と雌側ボタン部を設けた保持部材と、さらに帯状物の中央部分に上記保持部材の中央部分に備えた結合具と対をなす結合具としての押圧式ボタンの雄側ボタン部を備え、該帯状物の両端部を結合してリング状にした保持部材を用いる構成であり、上記保持部材を布団に装着してある係止用の帯に貫通させ、リング状にして取り付けておく構成である。そして、このリング状の保持部材を布団包被体に取り付けておくことにより、前記保持部材の中央部分にある結合具の着脱操作のみで布団と布団包被体の結合取り外しを行えるようにする効果を生ずるものである。
【０００７】
【特許文献１】特開２００１−９５６６３号
【特許文献２】実開平１−１７０１７０号
【特許文献３】実用新案登録第３１０７９９６号
【考案の開示】
【考案が解決しようとする課題】
【０００８】
文献（１）は、布団と略同じ大きさの本体包被体の一方端部には合わせ布片を重ね合わせ縫い付けて、袋を形成するため、縫製するのに、手間がかかること、また布団の大きさ及び／又は厚さに応じて、縫製しなければならないため、布団を変更する場合において、この縫製を解かねばならず、再度煩雑であること、時間がかかること、また、この帯状片で係止するため、装着に不安があること、等の問題点がある。次に、文献（２）は、Ｓ字状の連結部材を介して、安定を図るが、この材質の形状上、連結部材は、反転してしまい、長さを確実に調節できないこと、また、このループと布団を止着する細帯を止着する幅が限定されるため、外方向に、この細帯にひっぱられる懸念が生じる。最後に、文献（３）は、この構成が、（２）と類似しているため、結合具により、布団を止着する細帯を止着する幅が限定されるため、外方向に、この細帯にひっぱられ、的確にこの包被体を止着できないこと等の懸念が生じる。さらに、部品点数がたくさんあるので、取り付け又は取り外しに煩雑であるため、時間がかかること、等の問題点が挙げられる。
【０００９】
そして、上記に鑑み本考案は、
（１）お年寄りや子供やの力の弱い病人等にとっても、簡易かつ安全に和布団、マットに装着するボア、タオルケット、カバー等の包被体を提供することを意図する。
（２）簡単かつ容易にこの包被体を脱着することができ、煩雑性を解消し、色々な場合において、使用を供することができる包被体を提供することを意図する。
（３）部品点数の減少により、生産コストがかからない、極めて安価で実用的な包被体を提供することを意図する。
（４）この包被体の和布団、マットを止着する内側の四隅に、前記和布団、マットの止着用の細帯を配備し、細帯に調節部材を介設することにより、和布団、マットの大きさ、形状に応じて、包被体を交換する必要性もなく、多様性に優れた包被体を提供することを意図する。
【課題を解決するための手段】
【００１０】
請求項１の考案は、前述の（１）〜（４）の目的を達成するに最適な調節部材を介設した細帯を包被体の内側の四隅に設けること等を意図する。
【００１１】
請求項１は、和布団、マットに装着するボア、タオルケット、カバー等の包被体において、
この包被体を前記和布団、マットと略同等の大きさに形成し、この包被体の和布団、マットを止着する内側の四隅に、前記和布団等の止着用の細帯を配備し、
この細帯に前記和布団、マットの厚さ、大きさ等の形状に応じて、この包被体を確実に止着及び／又は離脱可能にする長さ調節ができるバックル、矜持片の調節部材を介設する構成とした和布団等に脱着される包被体である。
【００１２】
請求項２の考案は、請求項１の目的を達成すること、この目的を達成するのに最適なバックルの部材を提供することを意図する。
【００１３】
請求項２は、請求項１に記載のバックル、矜持片等の調節部材において、
このバックルは、前記細帯の一方端にラダーロック挿入片を設け、他方端にこのラダーロック係止片を設け、このラダーロック挿入片をラダーロック係止片に嵌挿することにより、細帯の長さ調節を行う構成とした和布団等に脱着される包被体である。
【００１４】
請求項３の考案は、請求項１の目的を達成すること、この目的を達成するのに最適な矜持片を提供することを意図する。
【００１５】
請求項３は、請求項１に記載のバックル、矜持片等の調節部材において、
この矜持片は、前記細帯の一方端に三角形状の係止部材を設け、他方端に爪片を設け、前記三角形状の係止部材にこの爪片を係留することにより、細帯の長さ調節を行う構成とした和布団等に脱着される包被体である。
【００１６】
請求項４の考案は、請求項１の目的を達成すること、この目的を達成するのに最適な包被体の位置関係を提供することを意図する。
【００１７】
請求項４は、請求項１に記載の和布団等に脱着される包被体において、
この包被体を前記和布団、マットと略同等の大きさに形成し、この包被体の和布団、マットを止着する内側の四隅に、前記和布団等の止着用の細帯を配備し、
この細帯に前記調節部材を介して、この和布団、マットの長手方向と幅方向における四隅の一端から止着する長さを略均一にし、前記包被体を確実に止着及び／又は離脱可能にする構成とした和布団等に脱着される包被体である。
【００１８】
請求項５の考案は、請求項１の目的を達成すること、この目的を達成するのに最適な包被体の位置関係を提供することを意図する。
【００１９】
請求項５は、請求項１に記載の和布団等に脱着される包被体において、
この包被体を前記和布団、マットと略同等の大きさに形成し、この包被体の和布団、マットを止着する内側の四隅に、前記和布団等の止着用の細帯を配備し、
この細帯に前記調節部材を介して、この和布団、マットの長手方向と幅方向における四隅の一端から止着する長さで長手方向：幅方向を１：√３の比率にし、前記包被体を確実に止着及び／又は離脱可能にする構成とした和布団等に脱着される包被体である。
【考案の効果】
【００２０】
請求項１の考案は、和布団、マットに装着するボア、タオルケット、カバー等の包被体において、
包被体を和布団、マットと略同等の大きさに形成し、包被体の和布団、マットを止着する内側の四隅に、和布団等の止着用の細帯を配備し、
細帯に和布団、マットの厚さ、大きさ等の形状に応じて、包被体を確実に止着及び／又は離脱可能にする長さ調節ができるバックル、矜持片の調節部材を介設する構成とした和布団等に脱着される包被体である。
【００２１】
従って、請求項１は、
（１）お年寄り、子供や力の弱い病人等にとっても、簡易かつ安全に和布団、マットに装着するボア、タオルケット、カバー等の包被体を提供できる等の特徴を有する。
（２）簡単かつ容易に包被体を脱着することができ、煩雑性を解消し、色々な場合において、使用を供することができる包被体を提供できる等の特徴を有する。
（３）部品点数の減少により、生産コストがかからない、極めて安価で実用的な包被体を提供できる等の特徴を有する。
（４）この包被体の和布団、マットを止着する内側の四隅に、前記和布団、マットの止着用の細帯を配備し、細帯に調節部材を介設することにより、和布団等の大きさ、形状に応じて、包被体を交換する必要性もなく、多様性に優れた包被体を提供できる等の特徴を有する。
【００２２】
請求項２の考案は、請求項１に記載のバックル、矜持片等の調節部材において、
バックルは、細帯の一方端にラダーロック挿入片を設け、他方端にラダーロック係止片を設け、ラダーロック挿入片をラダーロック係止片に嵌挿することにより、細帯の長さ調節を行う構成とした和布団等に脱着される包被体である。
【００２３】
従って、請求項２は、請求項１の目的を達成すること、この目的を達成するのに最適なバックルの部材を提供できる等の特徴を有する。
【００２４】
請求項３の考案は、請求項１に記載のバックル、矜持片等の調節部材において、
矜持片は、細帯の一方端に三角形状の係止部材を設け、他方端に爪片を設け、三角形状の係止部材に爪片を係留することにより、細帯の長さ調節を行う構成とした和布団等に脱着される包被体である。
【００２５】
従って、請求項３は、請求項１の目的を達成すること、この目的を達成するのに最適な矜持片の部材を提供できる等の特徴を有する。
【００２６】
請求項４は、請求項１に記載の和布団等に脱着される包被体において、
包被体を和布団、マットと略同等の大きさに形成し、包被体の和布団、マットを止着する内側の四隅に、和布団等の止着用の細帯を配備し、
細帯に前記調節部材を介して、和布団、マットの長手方向と幅方向における四隅の一端から止着する長さを略均一にし、包被体を確実に止着及び／又は離脱可能にする構成とした和布団等に脱着される包被体である。
【００２７】
従って、請求項４は、請求項１の目的を達成すること、この目的を達成するのに最適な包被体の位置関係を提供できる等の特徴を有する。
【００２８】
請求項５は、請求項１の記載の和布団等に脱着される包被体において、
包被体を前記和布団、マットと略同等の大きさに形成し、包被体の和布団、マットを止着する内側の四隅に、和布団等の止着用の細帯を配備し、
細帯に前記調節部材を介して、和布団、マットの長手方向と幅方向における四隅の一端から止着する長さで長手方向：幅方向を１：√３の比率にし、包被体を確実に止着及び／又は離脱可能にする構成とした和布団等に脱着される包被体である。
【００２９】
請求項５の考案は、請求項１の目的を達成すること、この目的を達成するのに最適な包被体の位置関係を提供できる等の特徴を有する。
【考案を実施するための最良の形態】
【００３０】
本考案を実施するための最良の形態を図面を基に説明する。
【００３１】
図１は本考案の一例を示した裏面図、図２は図１の他の一例を示した裏面図、図３−１は図１、図２で使用した調節部材を示し、この調節部材が嵌挿されている状態を示した拡大裏面図、図３−２は図３−１と同様の調節部材であり、この調節部材が離間している状態を示した拡大裏面図、図４は図１のさらに他の一例を示した裏面図、図４−１は図４で使用した調節部材の拡大裏面図、図４−２は図４で使用した調節部材の拡大側面図、図５−１は図１のさらに他の調節部材を示し、この調節部材が嵌挿されている状態を示した拡大裏面図、図５−２は図５−１と同様の調節部材であり、この調節部材が離間している状態を示した拡大裏面図である。
【００３２】
本考案の一例を説明する。図１に示されているように、正方形状、長方形状等の方形状の和布団、マットにおける和布団等であり、この例においては、例えば、和布団１とする。この和布団１に装着するボア、タオルケット、カバー等の包被体２があり、この包被体２は、和布団１と同様な大きさが望ましい。この包被体２の四隅２ａに、それぞれ和布団１の止着用の細帯３が、掛け渡されている。この細帯３は、バックル５、矜持片６の調節部材４が介設してあり、この調節部材４を介し、和布団１の大きさ、形状に応じて、この包被体２が前記和布団１において、確実に止着することができる構成が採用されている。そして、この調節部材４は、これら以外にも、和布団１に掛け渡すために細帯３の長さ調節ができる部材であるならば、限定されない。
【００３３】
この和布団１を確実に止着するための包被体２の四隅２ａに設けた細帯３は、この包被体２の四隅２ａの一端から、略４５°の角度で掛け渡される。この４５°の角度で掛け渡すことで、この四隅２ａと細帯３が、直角二等辺三角形を形成する構成となる。この構成を採用することより、前記四隅２ａに確実に和布団１を止着することができ、また、この細帯３を包被体２に縫製する際においても、作業者が、包被体２の長手方向及び幅方向の長さに関係なく、また、細帯３の全長に応じて、包被体２の取付け位置を任意に決めることができ、細帯３を包被体２に縫製することが極めて簡易になると考えられる。
【００３４】
そして、この他の一例として、図２に示されているように、包被体２の四隅２ａに細帯３を掛け渡す際において、例えば、包被体２の長手方向から掛け渡される細帯３は３０°とし、この幅方向から掛け渡される細帯３は６０°とするようにし、この細帯３に囲われた四隅２ａが９０°とするようにし、長手方向：幅方向を１：√３の比率にし、この四隅２ａと細帯３が、直角三角形を形成する構成とする。この構成を採用することにより、包被体２の形状が例えば、長手方向が長く、幅方向が短い場合等において、細帯３により和布団１に止着する面積が、従来より大きくなるので、さらに、四隅２ａが９０°を形成するので、安定して止着することができ、和布団１が長手方向及び／又は幅方向に揺動することもなくなる。なお、この角度にて、細帯３を掛け渡す方法は、あくまでも一例であり、包被体２と、包被体２の四隅２ａと細帯３で形成される三角形の形状・特性、この細帯３により止着される和布団１の形状、大きさ等を考慮して、掛け渡せばよい。なお、前記の三角形は、四隅２ａが、９０°になるような形が望ましい。
【００３５】
次に、調節部材４のバックル５について、説明する。図３−１、図３−２に示すように、このバックル５は、細帯３の一方端３０ａにラダーロック挿入片５０を設け、他方端３０ｂにこのラダーロック係止片５１を設けてあり、ラダーロック挿入片５０の後方には、細帯３を折り返すためのリング５００が一体形成されている。つまり、このリング５００により、細帯３の長さとこの和布団１の大きさ、形状に応じ調節し、ラダーロック挿入片５０をラダーロック係止片５１に嵌挿する。それは、このラダーロック挿入片５０は、この幅方向を矜持し、押圧することにより、ラダーロック係止片５１に嵌挿されるような幅に圧縮されるので、このラダーロック係止片５１にラダーロック挿入片５０を嵌挿し、ラダーロック挿入片５０を開放することによって、ラダーロック係止片５１に確実に係止できる。
【００３６】
そして、この他の例として、図４、図４−１、図４−２について使用したバックル５について説明する。２本の細帯３を介設してある。１本の細帯３ａは、四隅２ａを基点とすると、この基点からＡの長さだけ長手方向に離間した長手方向における位置Ｂから配備してあり、そして、他の１本の細帯３ｂは、この基点からＡの長さだけ幅方向に離間した幅方向における位置Ｃから配備している。そして、この細帯３ａは、１本の細帯３ａの略中心にリング５５を貫通して、折り返されており、長手方向における位置Ｂの位置で戻るように配置されている。そして、他の１本の細帯３ｂは、前記リング５５にて折り返され、この折り返された他の１本の細帯３ｂは、他の１本の細帯３ｂに介設された調節リング５６まで戻り、この調節リング５６を貫通して配置してある。この調節リング５６に貫通してある他の１本の細帯３ｂにより、長さ調節を行う。なお、この調節リング５６は、リング５５と相互に連繋してあるので、お年寄り、子供、力の弱い病人等でも簡易かつ確実に長さを調節できる効果を有する。
【００３７】
次に、この図５−１、図５−２について使用した矜持片６について説明する。この矜持片６は、細帯３の一方端３０ａに三角形状の係止部材６０を設け、他方端３０ｂに爪片６１を設けてあり、爪片６１の後方には、細帯３を折り返すためのリング５００が一体形成されている。つまり、このリング５００により、前述したバックル５と同様な構成となる。そして、この爪片６１を三角形状の係止部材６０に係止することにより、細帯３が簡易に係止することができる。なお、この構成であると、嵌挿又は離間が極めて容易である。なお、この係止部材６０及び／又は爪片６１の形状は、限定されず、この両方が、相互に係止できる構成であれば、この構成は限定されない。
【図面の簡単な説明】
【００３８】
、図４は図１のさらに他の一例を示した裏面図、図４−１は図４で使用した調節部材の拡大裏面図、図４−２は図４で使用した調節部材の拡大裏面図、図５−１は図１のさらに他の調節部材を示し、この調節部材が嵌挿されている状態を示した拡大裏面図、図５−２は図５−１と同様の調節部材であり、この調節部材が離間している状態を示した拡大裏面図である。
【図１】図１は本考案の一例を示した裏面図である。
【図２】図２は図１の他の一例を示した裏面図である。
【図３−１】図３−１は図１、図２で使用した調節部材を示し、この調節部材が嵌挿されている状態を示した拡大裏面図である。
【図３−２】図３−２は図３−１と同様の調節部材であり、この調節部材が離間している状態を示した拡大裏面図である。
【図４】図４は図１のさらに他の一例を示した裏面図である。
【図４−１】図４−１は図４で使用した調節部材の拡大側面図である。
【図４−２】図４−２は図４で使用した調節部材の拡大裏面図である。
【図５−１】図５−１は図１のさらに他の調節部材を示し、この調節部材が嵌挿されている状態を示した拡大裏面図である。
【図５−２】図５−２はと同様の調節部材であり、この調節部材が離間している状態を示した拡大裏面図である。
【符号の説明】
【００３９】
１          和布団
２          包被体
２ａ        四隅
３          細帯
３ａ        １本の細帯
３ｂ        他の１本の細帯
３０ａ      一方端
３０ｂ      他方端
４          調節部材
５          バックル
５０        ラダーロック挿入片
５１        ラダーロック係止片
５５        リング
５６        調節リング
５００      リング
６          矜持片
６０        係止部材
６１        爪片
Ａ          長さ
Ｂ          長手方向における位置
Ｃ          幅方向における位置
【図１】
0003131965.tif 000003
【図２】
0003131965.tif 000004
【図３−１】
0003131965.tif 000005
【図３−２】
0003131965.tif 000006
【図４】
0003131965.tif 000007
【図４−１】
0003131965.tif 000008
【図４−２】
0003131965.tif 000009
【図５−１】
0003131965.tif 000010
【図５−２】
0003131965.tif 000011